(57)【特許請求の範囲】
【請求項１】
車両の走行軌跡を、検出した前記車両の位置情報に基づいて表示部の画面上の走行経路に所定標識により表示する車載機器であって、
前記表示部に表示する前記走行軌跡が、既に表示された既存走行軌跡と交差する時に、前記交差が、前記走行軌跡の走行経路と前記既存走行軌跡の走行経路との立体交差であるか否かを判定する交差判定手段と、
該交差判定手段により前記交差が立体交差と判定されたときに、前記立体交差における所定範囲の前記走行軌跡及び前記既存走行軌跡の少なくとも一方を前記所定標識とは相違する交差位置標識で表示する走行軌跡制御手段と、を有する車載機器。
【請求項２】
前記交差判定手段により前記交差が立体交差と判定されたときに、前記立体交差における前記走行軌跡の走行経路が前記既存走行軌跡の走行経路より低い位置となるか又は高い位置となるかを判定する高低差判定手段を更に有し、
前記走行軌跡表示制御手段は、前記高低差判定手段により前記走行軌跡の走行経路が低い位置と判定された場合、前記立体交差における所定範囲の走行軌跡を前記交差位置標識で表示し、前記走行軌跡の走行経路が高い位置と判定された場合、前記立体交差における所定範囲の既存走行軌跡を前記交差位置標識で表示する請求項１に記載の車載装置。
【請求項３】
前記交差判定手段は、前記交差する位置の走行経路の道路情報に基づいて前記交差が前記走行経路の立体交差であるか否かを判定する請求項１又は２に記載の車載機器。
【請求項４】
前記高低差定手段は、前記立体交差における検出した前記車両の位置情報に基づいて、前記立体交差における前記走行軌跡の走行経路が前記既存走行軌跡の走行経路より低い位置となるか又は高い位置となるかを判定する請求項２又は３に記載の車載機器。
【請求項５】
前記走行軌跡表示制御手段は、前記交差位置標識として、前記交差する部分を透過表示にすると共に、前記交差する部分の前後の所定範囲について前記所定標識を縮小表示した縮小標識で表示する請求項１乃至４のいずれかに記載の車載機器。
【請求項６】
前記走行軌跡表示制御手段は、前記交差位置標識として、前記交差する部分を透過表示にすると共に、前記交差する部分の前後の所定範囲について前記所定標識と異なる着色の異着色標識で表示する請求項１乃至４のいずれかに記載の車載機器。
【請求項７】
車両の走行軌跡を、検出した前記車両の位置情報に基づいて表示部の画面上の走行経路に所定標識により表示する車載機器における走行軌跡の表示方法であって、
前記表示部に表示する前記走行軌跡が、既に表示された既存走行軌跡と交差する時に、前記交差が、前記走行軌跡の走行経路と前記既存走行軌跡の走行経路との立体交差であるか否かを判定する交差判定ステップと、
該交差判定ステップにより前記交差が立体交差と判定されたときに、前記立体交差における所定範囲の前記走行軌跡及び前記既存走行軌跡の少なくとも一方を前記所定標識とは相違する交差位置標識で表示する走行軌跡制御ステップと、を有する走行軌跡の表示方法。
【請求項８】
前記交差判定ステップにより前記交差が立体交差と判定されたときに、前記立体交差における前記走行軌跡の走行経路が前記既存走行軌跡の走行経路より低い位置となるか又は高い位置となるかを判定する高低差判定ステップを更に有し、
前記走行軌跡表示制御ステップは、前記高低差判定ステップにより前記走行軌跡の走行経路が低い位置と判定された場合、前記立体交差における所定範囲の走行軌跡を前記交差位置標識で表示し、前記走行軌跡の走行経路が高い位置と判定された場合、前記立体交差における所定範囲の既存走行軌跡を前記交差位置標識で表示する請求項７に記載の走行軌跡の表示方法。
【請求項９】
前記交差判定ステップは、前記交差する位置の走行経路の道路情報に基づいて前記交差が前記走行経路の立体交差であるか否かを判定する請求項７又は８に記載の走行軌跡の表示方法。
【請求項１０】
前記高低差定ステップは、前記立体交差における検出した前記車両の位置情報に基づいて、前記立体交差における前記走行軌跡の走行経路が前記既存走行軌跡の走行経路より低い位置となるか又は高い位置となるかを判定する請求項８又は９のいずれかに記載の走行軌跡の表示方法。
【請求項１１】
前記走行軌跡表示制御ステップは、前記交差位置標識として、前記交差する部分を透過表示にすると共に、前記交差する部分の前後の所定範囲について前記所定標識を縮小表示した縮小標識で表示する請求項７乃至１０のいずれかに記載の走行軌跡の表示方法。
【請求項１２】
前記走行軌跡表示制御ステップは、前記相交差位置標識として、前記交差する部分を透過表示にすると共に、前記交差する部分の前後の所定範囲について前記所定標識と異なる着色の異着色標識で表示する請求項７乃至１０のいずれかに記載の走行軌跡の表示方法。
【発明の詳細な説明】
【技術分野】
【０００１】
本発明は、車両の走行軌跡を、検出した前記車両の位置情報に基づいて表示部の画面上の走行経路に所定標識により表示する車載機器及び該車載機器における走行軌跡の表示方法に関する。
【背景技術】
【０００２】
目的地までの経路を案内表示するナビゲーション装置等の車載機器では、運転者等の便宜を図るべく走行軌跡の表示機能が設けられている。走行軌跡の表示機能を作動（ＯＮ）させると、走行経路の道路地図を表示する表示画面に走行軌跡を表す所定標識（所定の記号等の表示）が所定間隔（例えば、実際の距離にして１０ｍ〜２０ｍ毎）で表示されるので、走行した経路の確認、又は到着地からの帰路の案内等に利用することができる（特許文献１参照）。
【０００３】
上記特許文献１に記載のナビゲーション装置は、走行軌跡を所定時間経過毎に異なる表示（形状、色彩等について）としているので、例えば、当日の走行軌跡と昨日の走行軌跡を区別することがで、走行軌跡表示を利用して当日の出発点への帰路案内に利用することが容易となる。
【先行技術文献】
【特許文献】
【０００４】
【特許文献１】特開２００３−９７９６３号公報
【発明の概要】
【発明が解決しようとする課題】
【０００５】
上記したように特許文献１に記載のナビゲーション装置では、走行軌跡を所定経過時間毎に異なる表示とすることで、運転者等の利用の向上を図ることができるが、走行軌跡は所定間隔毎の所定標識による表示であるため、例えば走行経路を表示する車載機器（不図示）の表示画像１０１を示す図８中の走行軌跡１０６の交差Ｐ、Ｒ、Ｔ（鎖線で示す）では、これらが平面交差、立体交差の何れであるか判別することができない。目的地の学校１０３に到着した車両の現在位置１０５における走行軌跡１０６を帰路の経路の案内に利用する場合、当該交差での右左折が可能であるか否かの判断が困難となり、走行軌跡の利用を図ることができない。また、目的地到着後に表示された走行軌跡を基にした走行経路の確認を十分に行うことができない。
【０００６】
本発明は、車両の走行軌跡が交じり合う交差において、立体交差と平面交差の区別が容易にできる走行軌跡の表示を行う走行軌跡表示方法及び車載機器の提供を目的とする。
【課題を解決するための手段】
【０００７】
上記課題を解決するために、本発明に係る車載機器は、車両の走行軌跡を、検出した前記車両の位置情報に基づいて表示部の画面上の走行経路に所定標識により表示する車載機器であって、前記表示部に表示する前記走行軌跡が、既に表示された既存走行軌跡と交差する時に、前記交差が、前記走行軌跡の走行経路と前記既存走行軌跡の走行経路との立体交差であるか否かを判定する交差判定手段と、該交差判定手段により前記交差が立体交差と判定されたときに、前記立体交差における所定範囲の前記走行軌跡及び前記既存走行軌跡の少なくとも一方を前記所定標識とは相違する交差位置標識で表示する走行軌跡制御手段と、を有する構成である。
【０００８】
このような構成によれば、表示する走行軌跡が既存走行軌跡と交差する時に、前記交差が立体交差と判定されたときに、前記立体交差における所定範囲の前記走行軌跡及び前記既存走行軌跡の少なくとも一方を前記所定標識とは相違する交差位置標識で表示するので、走行軌跡が交差したときに、立体交差であるか否かを容易に区別することができ、走行軌跡を有効に利用することが可能となる。なお、立体交差でないと判定されたときは、走行軌跡の両方とも交差を含む走行軌跡は所定標識で表示されるので、運転者等はそのまま平面交差と判断することができる。
【０００９】
上記交差位置標識としては、例えば所定標識の大きさを変更した標識、所定標識の着色を変更した標識を交差位置標識としても良い。立体交差のうち高い位置にある走行経路の所定範囲の走行軌跡を所定標識を大きくした交差位置標識で表示し、低い位置にある走行経路の所定範囲の走行軌跡のうち、交差部分を透過表示にし、その他の部分（交差を除く交差の前後所定範囲）を所定標識を小さくした交差位置標識で表示しても良い。また、高い位置にある走行経路の走行軌跡のみを交差位置標識で表示し、或いは低い位置にある走行経路の走行軌跡のみを交差位置標識で表示しても良い。
【００１０】
本発明に係る車載機器において、前記交差判定手段により前記交差が立体交差と判定されたときに、前記立体交差における前記走行軌跡の走行経路が前記既存走行軌跡の走行経路より低い位置となるか又は高い位置となるかを判定する高低差判定手段を更に有し、前記走行軌跡表示制御手段は、前記高低差判定手段により前記走行軌跡の走行経路が低い位置と判定された場合、前記立体交差における所定範囲の走行軌跡を前記交差位置標識で表示し、前記走行軌跡の走行経路が高い位置と判定された場合、前記立体交差における所定範囲の既存走行軌跡を前記交差位置標識で表示する構成とすることができる。
【００１１】
このような構成によれば、走行軌跡が交差し、かつ当該交差が立体交差であるときに、立体交差における走行経路の低い位置にある方の走行軌跡を所定標識とは相違する交差位置標識で表示するので、交差する走行軌跡から立体交差で何れか低い位置の走行経路であるかが容易に区別することができる。
【００１２】
本発明に係る車載機器において、前記交差判定手段は、前記交差する位置の走行経路の道路情報に基づいて前記交差が前記走行経路の立体交差であるか否かを判定する構成とすることができる。
【００１３】
このような構成によれば、道路情報を利用することで、平面交差と立体交差の区別ができる。例えば、道路情報において、平面交差のときは交差するリンク同士が共通のノードを有し、立体交差では上記リンク同士で共通のノードを有しないからである。
【００１４】
本発明に係る車載機器において、前記高低差定手段は、前記立体交差における検出した前記車両の位置情報に基づいて、前記立体交差における前記走行軌跡の走行経路が前記既存走行軌跡の走行経路より低い位置となるか又は高い位置となるかを判定する構成とすることができる。
【００１５】
このような構成によれば、検出した車両の位置情報により、立体交差における車両位置の高さの相違を検出することができるので、前記立体交差における前記走行軌跡の走行経路が前記既存走行軌跡の走行経路より低い位置となるか否かを判定することができる。
【００１６】
本発明に係る車載機器において、前記走行軌跡表示制御手段は、前記交差位置標識として、前記交差する部分を透過表示にすると共に、前記交差する部分の前後の所定範囲について前記所定標識を縮小表示した縮小標識で表示する構成とすることができる。
【００１７】
このような構成によれば、交差位置標識として、前記交差する部分を透過表示にすると共に、前記交差する部分の前後の所定範囲を前記所定標識を縮小表示した縮小標識で表示するので、簡便かつ容易に認識する表示とすることができる。
【００１８】
本発明に係る車載機器において、前記走行軌跡表示制御手段は、前記交差位置標識として、前記交差する部分を透過表示にすると共に、前記交差する部分の前後の所定範囲について前記所定標識と異なる着色の異着色標識で表示する構成とすることができる。
【００１９】
このような構成によれば、交差位置標識として、前記交差する部分を透過表示にすると共に、前記交差する部分の前後の所定範囲を前記所定標識と異なる着色の異着色標識で表示することで、上述同様に、簡便かつ容易に認識する表示とすることができる。
【００２０】
また、本発明に係る走行軌跡の表示方法は、車両の走行軌跡を、検出した前記車両の位置情報に基づいて表示部の画面上の走行経路に所定標識により表示する車載機器における走行軌跡の表示方法であって、前記表示部に表示する前記走行軌跡が、既に表示された既存走行軌跡と交差する時に、前記交差が、前記走行軌跡の走行経路と前記既存走行軌跡の走行経路との立体交差であるか否かを判定する交差判定ステップと、該交差判定ステップにより前記交差が立体交差と判定されたときに、前記立体交差における所定範囲の前記走行軌跡及び前記既存走行軌跡の少なくとも一方を前記所定標識とは相違する交差位置標識で表示する走行軌跡制御ステップと、を有する構成である。
【００２１】
本発明に係る走行軌跡の表示方法において、前記交差判定ステップにより前記交差が立体交差と判定されたときに、前記立体交差における前記走行軌跡の走行経路が前記既存走行軌跡の走行経路より低い位置となるか又は高い位置となるかを判定する高低差判定ステップを更に有し、前記走行軌跡表示制御ステップは、前記高低差判定ステップにより前記走行軌跡の走行経路が低い位置と判定された場合、前記立体交差における所定範囲の走行軌跡を前記交差位置標識で表示し、前記走行軌跡の走行経路が高い位置と判定された場合、前記立体交差における所定範囲の既存走行軌跡を前記交差位置標識で表示する構成とすることができる。
【００２２】
本発明に係る走行軌跡の表示方法において、前記交差判定ステップは、前記交差する位置の走行経路の道路情報に基づいて前記交差が前記走行経路の立体交差であるか否かを判定する構成とすることができる。
【００２３】
本発明に係る走行軌跡の表示方法において、前記高低差定ステップは、前記立体交差における検出した前記車両の位置情報に基づいて、前記立体交差における前記走行軌跡の走行経路が前記既存走行軌跡の走行経路より低い位置となるか又は高い位置となるかを判定する構成とすることができる。
【００２４】
本発明に係る走行軌跡の表示方法において、前記走行軌跡表示制御ステップは、前記交差位置標識として、前記交差する部分を透過表示にすると共に、前記交差する部分の前後の所定範囲について前記所定標識を縮小表示した縮小標識で表示する構成とすることができる。
【００２５】
本発明に係る走行軌跡の表示方法において、前記走行軌跡表示制御ステップは、前記交差位置標識として、前記交差する部分を透過表示にすると共に、前記交差する部分の前後の所定範囲について前記所定標識と異なる着色の異着色標識で表示する構成とすることができる。
【発明の効果】
【００２６】
本発明によれば、表示された走行軌跡が交じり合う交差において、立体交差と平面交差の区別が容易にできる走行軌跡の表示方法及び車載機器を提供することができる。
【図面の簡単な説明】
【００２７】
【図１】図１は、本発明の実施の形態に係る車載機器のブロック構成図である。
【図２】図２は、本発明の実施の形態に係る車載機器の処理ユニットによる処理手順を示すフローチャートである。
【図３】図３は、本発明の実施の形態に係る車載機器の表示部における走行軌跡の概略表示画面図である。
【図４】図４は、図３に示す交差Ｂの具体的な道路状況を示す拡大概略図である。
【図５Ａ】図５Ａは、図３に示す交差Ｂにおける走行軌跡の表示手順の一例を示す表示画面図である（その１）。
【図５Ｂ】図５Ｂは、図５Ａの表示手順の続きを示す表示画面図である（その２）。
【図６Ａ】図６Ａは、図３に示す交差Ｂにおける走行軌跡の表示手順の他の例を示す表示画面図である（その１）。
【図６Ｂ】図６Ｂは、図６Ａの表示手順の続きを示す表示画面図である（その２）。
【図７】図７は、本発明の実施の形態に係る車載機器の表示部における他の走行軌跡の概略表示画面図である。
【図８】図８は、従来の車載機器の表示部における走行軌跡の概略表示画面図である。
【発明を実施するための形態】
【００２８】
本発明の実施の形態について図面を用いて説明する。
【００２９】
本発明の実施の形態に係る車載機器１１を構成するブロック図を図１に示す。
【００３０】
図１において、車載機器１１は、コンピュータユニット（例えば、ＣＰＵ、ＲＯＭ、ＲＡＭ、Ｉ／Ｏインターフェース及びバス等）によって構成される処理ユニット１２を有する。処理ユニット１２には、各種音源及び映像源（例えば、ＣＤ及びＤＶＤ）の再生処理が可能なＡＶユニット１５及び自車両のナビゲーションが可能なナビゲーションユニット１７（ＧＰＳ受信機器、ジャイロセンサ、加速度センサ等）が接続されている。また、処理ユニット１２にはスピーカ１８と接続される出力回路１９が接続されている。これによって、ＡＶユニット１５及びナビゲーションユニット１７による処理に係る音声信号を出力回路１９を介してスピーカ１８から出力可能となっている。加えて、処理ユニット１２には、ＡＶユニット１５及びナビゲーションユニット１７において利用する楽曲情報及び地図情報等の各種情報を記憶可能な記憶部２０（例えば、ハードディスク、フラッシュメモリ等）と、ＬＣＤ等によって構成される各種処理に伴う映像等を表示する表示部２１と、表示部２１上にタッチパネル形式にて形成される各種処理に必要な指示が入力可能な操作部２３とが接続されている。なお、操作部２３は、上記タッチパネル形式のソフトキーに替えて、押し釦形式のハードキーとすることができる。また、タッチパネル形式及び押し釦形式等の双方を使用することもできる。
【００３１】
上記した車載機器１１では、例えば、図２に示すような手順で処理（走行軌跡の表示等）がなされる。
【００３２】
図２において、車載機器１１の処理ユニット１２は、例えば、表示部２１の画面上に表示された走行軌跡表示アイコン（又は所定操作釦）へのタッチ操作（走行軌跡表示ＯＮ）があったとき（Ｓ１１）、記憶部２０に記憶された走行する車両の検出位置情報に基づいて走行軌跡を表示部２１の走行経路に表示する。走行軌跡として、具体的には、走行経路に所定間隔（例えば、実際の距離１０ｍに相当する間隔）毎に所定標識（円形輪郭標識３２、図３参照）を表示することによる。
【００３３】
表示部２１の画面上に表示される走行経路地図の表示画像２５を示す図３において、走行する車両（不図示）の現在地及び進行方向（矢印方向）を示す現在位置表示３１の後方に、所定間隔で設けた複数個の所定標識（円形輪郭標識３２、以下適宜「円形標識３２」という。）から成る走行軌跡３３が表示されている。走行軌跡３３は、ナビゲーションユニット１７により検出され、記憶部２０に記憶された走行する車両の検出位置情報に基づいて、所定間隔毎に所定標識である円形標識３２で表示される。
【００３４】
処理ユニット１２は、走行軌跡３３を表示するときに、表示部２１の画面に新たに表示する走行軌跡３３ａが既存走行軌跡３３ｂと交差表示となるか否かを判定する（Ｓ１２：交差判定手段）。交差表示となるか否かは、走行軌跡３３ａが既存走行軌跡３３ｂと共通する部分の有無で判定することができる（共通する所定標識の有無）。処理ユニット１２は、交差表示となると判定したときは（Ｓ１２のＹＥＳ）、更に交差が走行経路の立体交差であるか否かの判断を行う（Ｓ１３：交差判定手段）。走行軌跡３３の表示の際は、車両の走行に伴って新たに表示する走行軌跡３３ａが既存走行軌跡３３ｂと交差表示となる場合があるが、当該交差表示が走行経路の平面交差によるものか、立体交差（図４参照）によるものかについて、従来の走行軌跡の表示では区別することができなかった。そのため、走行軌跡を案内として帰路を辿る際に、交差点で左折等により進路変更を予定するが、当該交差点が平面交差でなく、図４（図３に示すＢ部の走行経路の拡大概略図）に示すような立体交差のため、左折等ができないといった事態を招いており、走行軌跡表示の有効利用を図ることができなかった。本実施形態において、処理ユニット１２は、走行する道路の道路情報（例えば、記憶部２０に記憶された道路情報）に基づいて、交差する走行経路が立体交差であるか否かを判定することができる。例えば、画面上の走行軌跡の交差において、共通のノードを有するときは平面交差、共通のノードを有しないときは立体交差と判定することができる。なお、車両の位置情報は高さ方向の位置情報も含むので、検出された車両の位置情報から立体交差であるか否かの判定を行うこともできる。
【００３５】
処理ユニット１２は、交差が走行経路の立体交差によるものと判定したときは（Ｓ１３のＹＥＳ）、立体交差において新たに表示する走行軌跡３３ａの走行経路が既存走行軌跡３３ｂの走行経路より高い位置にあるか又は低い位置にあるかを判定する（Ｓ１４：高低差判定手段）。立体交差における走行経路同士の高低差は、上述した記憶部２０に記憶された道路情報による他、検出された立体交差における車両の位置情報（高さ方向の位置情報を含む）により判定することができる。
【００３６】
処理ユニット１２は、立体交差において、新たに表示する走行軌跡３３ａの走行経路が
既存走行軌跡３３ｂの走行経路より高い位置にあると判定したときは（Ｓ１４のＹＥＳ）、高い位置の走行経路の走行軌跡３３ａを交差する位置を含めて通常の走行軌跡の所定標識である、円形標識３２で所定間隔毎に表示する（Ｓ１５：走行軌跡表示制御手段）。そして、通常の走行軌跡の所定標識である、円形標識３２で表示されている、低い位置の走行経路の既存走行軌跡３３ｂを、交差位置標識に表示変更する。交差位置標識による表示とは、交差する部分を透過表示とすると共に交差部分の前後の所定範囲を円形標識３２より小さな径の円形標識３４で表示することである（Ｓ１６：走行軌跡表示制御手段）。これにより、表示画面２５に表示される交差Ａ及び交差Ｂが立体交差であり、交差Ｃが平面交差であることの区別が可能となる。また、立体交差である交差Ａ及び交差Ｂで交わる走行経路について、交差する走行経路の高低の区別も容易にできる。
【００３７】
図３の交差Ｂを拡大した図５Ａ及び図５Ｂを参照して、上述した交差Ｂにおける走行軌跡３３（３３ａ、３３ｂ）の表示手順をそれぞれ説明する。図５Ａ及び図５Ｂは交差Ｂの低い位置の走行経路を既存走行軌跡３３ｂとしている（図４参照）。図５Ａにおいて、交差Ｂに向けて走行する車両の現在位置表示３１の後方には新たな走行軌跡３３ａが表示され、交差Ｂには既存走行軌跡３３ｂが表示されている。立体交差となる交差Ｂの走行経路を表す図４より、図５Ａに示す走行軌跡３３ａの走行経路は、既存走行軌跡３３ｂの走行経路より高い位置となるから、図５Ｂに示すように、車両の現在位置表示３１が交差Ｂを通過した後の走行軌跡３３ａは、通常の走行軌跡を表示する所定標識である、円形標識３２で表示される。交差Ｂにおける走行経路が低い位置となる既存走行軌跡３３ｂは、交差位置標識（交差Ｂを透過表示にすると共に交差Ｂの前後所定範囲をより小さな径の円形標識３４で表示）に表示変更される。なお、円形標識３４が表示される範囲は、例えば交差の前後を含む３０〜４０ｍの範囲となるが、設定により変更することができる。
【００３８】
図２において、処理ユニット１２は、立体交差において、新たに表示する走行軌跡３３ａの走行経路が既存走行軌跡３３ｂの走行経路より高い位置にない、即ち低い位置であると判定したときは（Ｓ１４のＮＯ）、低い位置の走行経路の走行軌跡３３ａについて、交差位置標識（交差Ｂを透過表示とすると共に、交差Ｂの前後所定範囲を通常の走行軌跡を表示する所定標識である円形標識３２より小さい径の円形標識３４）で表示する（Ｓ１６：走行軌跡表示制御手段）。このとき、通常の走行軌跡を表示する所定標識（円形標識３２）で表示されている、既存走行軌跡３３ｂは高い位置の走行経路であることから、そのまま円形標識３２での表示が維持される。
【００３９】
図３の交差Ｂを拡大した図６Ａ及び図６Ｂを参照して、上述した交差Ｂにおける走行軌跡３３（３３ａ、３３ｂ）の表示手順を説明する。図６Ａ及び図６Ｂは交差Ｂの高い位置の走行経路を既存走行軌跡としたものである（図４参照）。図６Ａにおいて、交差Ｂに向けて走行する車両の現在位置表示３１の後方には新たな走行軌跡３３ａが表示され、交差Ｂには既存走行軌跡３３ｂが表示されている。立体交差となる交差Ｂの走行経路を表す図４より、図６Ａに示す走行軌跡３３ａの走行経路は、既存走行軌跡３３ｂの走行経路より低い位置となるから、図６Ｂに示すように、車両の現在位置表示３１が交差Ｂを通過した後の走行軌跡３３ａは、交差位置標識（交差Ｂを透過表示とすると共に交差Ｂの前後所定範囲を円形標識３２より小さな径の円形標識３４で表示）で表示される。高い位置の走行経路である既存走行軌跡３３ｂは、通常の走行軌跡を表示する所定標識（円形標識３２）の表示が維持される。
【００４０】
図２において、処理ユニット１２は、表示部２１の画面に新たに表示する走行軌跡３３ａが既存走行軌跡３３ｂと交差表示とならないときには（Ｓ１２のＮＯ）、通常の所定標識である円形標識３２で走行軌跡３３ａを表示する。また、走行軌跡３３ａが既存走行軌跡３３ｂと交差しても（Ｓ１２のＹＥＳ）、当該交差が立体交差とならないと判定（平面交差と判定）されたときは（Ｓ１３のＮＯ）、上記同様に、通常の所定標識である円形標識３２で走行軌跡３３ａを表示する。
【００４１】
処理ユニット１２は、走行軌跡表示機能が解除されたか否かを判定し（Ｓ１８）、解除されたと判定したときは（Ｓ１８のＹＥＳ）、走行軌跡表示を解除する。また、走行軌跡表示が解除されておらず、維持されていると判定したときは（Ｓ１８のＮＯ）、新たに表示する走行軌跡３３ａが既存走行軌跡３３ｂと交差するか否かの判定し、交差が立体交差となるときに、上述した手順により走行軌跡を表示する（Ｓ１２〜Ｓ１６）。
【００４２】
図３に示すように、表示部２１の表示画面２５に表示される走行軌跡３３が交差するときに、交差Ａ及び交差Ｂについて、交差における高い位置にある走行経路の走行軌跡３３を通常の所定標識である円形標識３２で表示し、低い位置にある走行経路の走行軌跡を交差位置標識（交差を透過表示、交差の前後所定範囲を円形標識３２より小さな径の円形標識３４で表示）で表示するので、交差Ａ及び交差Ｂが立体交差で走行経路の高低も容易に区別することができる。このような走行軌跡の表示により運転者等は、走行軌跡を利用して帰路の案内等が可能となる。
【００４３】
上記の実施形態では、立体交差における高い位置の走行経路の走行軌跡を通常の所定標識である円形標識３２で表示し、低い位置の走行経路の走行軌跡を交差位置標識、すなわち小さい径の円形標識３４（交差部分を透過表示）で表示しているが、図７に示すように、低い位置の走行経路の走行軌跡を通常の所定標識（円形標識３２）と着色の異なる異着色標識３９（図７中破線で示す）で表示することも可能である。着色が異なることで、運転者等は容易に交差が立体交差であること、及び走行経路の高低を容易に区別することができる。また、上記実施形態では、低い位置にある走行経路の走行軌跡について、交差部分を透過表示としているが、透過率を変えた表示としても良い。
【産業上の利用可能性】
【００４４】
以上、説明したように、本発明よれば、表示された走行軌跡が交じり合う交差において、立体交差と平面交差の区別が容易にできる走行軌跡の表示方法及び車載機器を提供することができるという効果を奏し、車両の走行軌跡を、検出した前記車両の位置情報に基づいて表示部の画面上の走行経路に所定標識により表示する車載機器及び該車載機器における走行軌跡の表示方法として有用である。
【符号の説明】
【００４５】
１１    車載機器
１２    処理ユニット
１５    ＡＶユニット
１７    ナビゲーションユニット
１８    スピーカ
１９    出力回路
２０    記憶部
２１    表示部
２３    操作部
２５    表示画面
３１    現在位置表示
３２    円形標識
３３    走行軌跡
３３ａ  走行軌跡（新たに表示する走行軌跡）
３３ｂ  既存走行軌跡
３４    円形標識（小さい径）
【図１】
0006541154.tif 000002
【図２】
0006541154.tif 000003
【図３】
0006541154.tif 000004
【図４】
0006541154.tif 000005
【図５Ａ】
0006541154.tif 000006
【図５Ｂ】
0006541154.tif 000007
【図６Ａ】
0006541154.tif 000008
【図６Ｂ】
0006541154.tif 000009
【図７】
0006541154.tif 000010
【図８】
0006541154.tif 000011